(57)【特許請求の範囲】
【請求項１】
手書きボードに記載された内容を画像として取り込むボード情報取得手段と、
前記ボード情報取得手段から取得した画像を保存するかどうか判断する画像保存判断手段と、
保存すると判断された画像を永続化領域に保存する画像保存手段と
を備え、
前記画像保存判断手段は、
保存されている画像がない場合は、取り込んだ画像を保存し、
取り込んだ画像が、保存されている最新の画像と同じ場合は、取り込んだ画像を破棄し、
取り込んだ画像が、保存されている最新の画像と同じでない場合であって、追記である場合は、保存されている最新の画像を削除した上で取り込んだ画像を保存し、
取り込んだ画像が、保存されている最新の画像と同じでない場合であって、消去の開始である場合は、取り込んだ画像を保存し、
取り込んだ画像が、保存されている最新の画像と同じでない場合であって、消去の継続である場合は、保存されている最新の画像を削除した上で取り込んだ画像を保存する
ことを特徴とするボード記載内容記録システム。
【請求項２】
請求項１に記載のボード記載内容記録システムにおいて、
取り込んだ画像と、保存されている最新の画像との比較を行い、画像が同じかどうかを判定する画像比較手段と、
取り込んだ画像と、保存されている最新の画像とが同じでない場合に、変更箇所の色を含む画像情報を抽出する画像情報抽出手段と
を備え、
前記画像保存判断手段は、取り込んだ画像と、保存されている最新の画像との変更箇所の色が前記手書きボードの背景色に対応する基準値であるかどうかにより、前記追記であるか前記消去であるかを判断する
ことを特徴とするボード記載内容記録システム。
【請求項３】
請求項１または２のいずれか一項に記載のボード記載内容記録システムにおいて、
前記画像保存判断手段は、初期値がＯＦＦであり、前記消去が検出された場合にＯＮとされ、前記追記が検出された場合にＯＦＦとされる消去期間フラグにより、消去の開始と継続を判断する
ことを特徴とするボード記載内容記録システム。
【請求項４】
請求項１乃至３のいずれか一項に記載のボード記載内容記録システムにおいて、
前記ボード情報取得手段から取得した画像の特徴量から前記手書きボードが初期化されたことを検出する画像分類手段
を備え、
前記手書きボードの初期化が検出された場合に、前記画像保存手段は新たな画像格納フォルダを生成し、当該画像格納フォルダに画像を分類して保存する
ことを特徴とするボード記載内容記録システム。
【請求項５】
請求項１乃至３のいずれか一項に記載のボード記載内容記録システムにおいて、
前記ボード情報取得手段から取得した画像に特定の色による記載が含まれているかどうか判断する色識別手段
を備え、
特定の色が含まれていると判断された場合に、前記画像保存判断手段は処理を変更する
ことを特徴とするボード記載内容記録システム。
【請求項６】
請求項５に記載のボード記載内容記録システムにおいて、
前記画像保存判断手段は、特定の色が含まれていると判断された場合に、当該画像を保存しないと判断する
ことを特徴とするボード記載内容記録システム。
【請求項７】
請求項５に記載のボード記載内容記録システムにおいて、
前記画像保存判断手段は、特定の色が含まれていると判断された場合に、当該画像をデフォルトの保存先とは異なる特定画像用の保存先に保存すると判断する
ことを特徴とするボード記載内容記録システム。
【請求項８】
請求項１乃至３、５乃至７のいずれか一項に記載のボード記載内容記録システムにおいて、
前記ボード情報取得手段から取得した画像に特定の記号の記載が含まれているかどうか判断する記号識別手段
を備え、
特定の記号が含まれていると判断された場合に、前記画像保存判断手段は処理を変更する
ことを特徴とするボード記載内容記録システム。
【請求項９】
請求項８に記載のボード記載内容記録システムにおいて、
前記画像保存判断手段は、特定の記号が含まれていると判断された場合に、当該画像を保存しないと判断する
ことを特徴とするボード記載内容記録システム。
【請求項１０】
請求項８に記載のボード記載内容記録システムにおいて、
前記画像保存判断手段は、特定の記号が含まれていると判断された場合に、当該画像をデフォルトの保存先とは異なる特定画像用の保存先に保存すると判断する
ことを特徴とするボード記載内容記録システム。
【請求項１１】
請求項１乃至３、５乃至１０のいずれか一項に記載のボード記載内容記録システムにおいて、
前記手書きボードに所定画像を投影する投影装置から投影画像を取得し、前記ボード情報取得手段から取得した画像との差分画像を生成する差分画像生成手段
を備え、
前記画像保存判断手段は、前記差分画像を保存の対象とする
ことを特徴とするボード記載内容記録システム。
【請求項１２】
請求項１乃至３、５乃至１１のいずれか一項に記載のボード記載内容記録システムにおいて、
前記手書きボードに所定画像を投影する投影装置から投影画像を取得し、前記ボード情報取得手段から取得した画像と同等の画像であるかどうかを判断する投影画像比較手段
を備え、
同等の画像であると判断された場合に、前記画像保存判断手段は、当該画像を保存しないと判断する
ことを特徴とするボード記載内容記録システム。
【請求項１３】
請求項１乃至３、５乃至１２のいずれか一項に記載のボード記載内容記録システムにおいて、
前記画像保存手段により保存された画像の一覧表示画面を所定の画像投影装置に提供するとともに、前記一覧表示画面からユーザにより選択された画像を前記画像投影装置に提供する投影画像提供手段
を備えたことを特徴とするボード記載内容記録システム。
【請求項１４】
請求項１乃至３、５乃至１３のいずれか一項に記載のボード記載内容記録システムにおいて、
前記画像保存手段により保存された画像を所定の端末装置に提供する画像提供手段
を備えたことを特徴とするボード記載内容記録システム。
【請求項１５】
請求項１乃至３、５乃至１４のいずれか一項に記載のボード記載内容記録システムにおいて、
前記画像保存手段により保存された画像を所定の画像形成装置に提供する印刷画像提供手段
を備えたことを特徴とするボード記載内容記録システム。
【請求項１６】
請求項１乃至３、５乃至１５のいずれか一項に記載のボード記載内容記録システムにおいて、
前記ボード情報取得手段から取得した画像が同じ画像が連続して一定数以上取得されたかを判断し、同じ画像が連続して一定数以上取得されたと判断した場合に、終了時の処理を実行する終了判断手段
を備えたことを特徴とするボード記載内容記録システム。
【請求項１７】
手書きボードに記載された内容を画像として取り込むボード情報取得手段から取得した画像を保存するかどうか判断する画像保存判断手段と、
保存すると判断された画像を永続化領域に保存する画像保存手段と
を備え、
前記画像保存判断手段は、
保存されている画像がない場合は、取り込んだ画像を保存し、
取り込んだ画像が、保存されている最新の画像と同じ場合は、取り込んだ画像を破棄し、
取り込んだ画像が、保存されている最新の画像と同じでない場合であって、追記である場合は、保存されている最新の画像を削除した上で取り込んだ画像を保存し、
取り込んだ画像が、保存されている最新の画像と同じでない場合であって、消去の開始である場合は、取り込んだ画像を保存し、
取り込んだ画像が、保存されている最新の画像と同じでない場合であって、消去の継続である場合は、保存されている最新の画像を削除した上で取り込んだ画像を保存する
ことを特徴とする管理装置。
【請求項１８】
管理装置を構成するコンピュータを、
手書きボードに記載された内容を画像として取り込むボード情報取得手段から取得した画像を保存するかどうか判断する画像保存判断手段、
保存すると判断された画像を永続化領域に保存する画像保存手段
として機能させ、
前記画像保存判断手段は、
保存されている画像がない場合は、取り込んだ画像を保存し、
取り込んだ画像が、保存されている最新の画像と同じ場合は、取り込んだ画像を破棄し、
取り込んだ画像が、保存されている最新の画像と同じでない場合であって、追記である場合は、保存されている最新の画像を削除した上で取り込んだ画像を保存し、
取り込んだ画像が、保存されている最新の画像と同じでない場合であって、消去の開始である場合は、取り込んだ画像を保存し、
取り込んだ画像が、保存されている最新の画像と同じでない場合であって、消去の継続である場合は、保存されている最新の画像を削除した上で取り込んだ画像を保存する
管理装置制御プログラム。
【発明の詳細な説明】
【技術分野】
【０００１】
本発明は、会議等において用いられるホワイトボード等の手書きボードへの記載内容を電子的に記録する技術に関する。
【背景技術】
【０００２】
会議においてはホワイトボードが多用されている。会議の中で検討された内容が記載されているホワイトボードの内容は、会議の参加者だけでなく、会議に参加していなかった人にとっても有益な情報である。
【０００３】
このような有益な情報である、会議中にホワイトボードに記載された内容を電子的に取り込み、取り込んだデータを蓄積し、会議中にホワイトボードに記載された内容をユーザがいつでも取得できるようにすることが望ましい。
【０００４】
特にシステム化されていない場合には、会議中に記載したホワイトボードの内容を人が手動でカメラ撮影等を行い、取得した電子的な画像データをＰＣ（Personal Computer）等に保存していた。
【０００５】
また、自動でホワイトボードの内容を電子的に取り込める会議記録システムも提案されている（特許文献１等を参照。）。
【発明の概要】
【発明が解決しようとする課題】
【０００６】
上述した人が手動でカメラ撮影等を行って画像データを保存する手法は、人の手間がかかるといった問題があった。
【０００７】
一方、自動でホワイトボードの内容を電子的に取り込める会議記録システムとして、自動で取得したホワイトボードの内容をすべて保存してしまうものでは、ユーザが目的のデータを検索しづらく、ホワイトボードの内容を蓄積する場所の容量を圧迫してしまうといった問題があった。また、自動で取得したホワイトボードの内容のうち、最後に取得したものしか残さないものでは、会議中にホワイトボードに記載され途中で消されてしまった検討内容をユーザが取得できないといった問題があった。
【０００８】
本発明は上記の従来の問題点に鑑み提案されたものであり、その目的とするところは、手書きボードの記載内容の記録を取るのに際し、人の手間を要せず、検索性に優れ、データの保管場所の容量を圧迫せず、途中で消された内容を含む全ての内容を余分な内容がなく網羅して保存することができるようにすることにある。
【課題を解決するための手段】
【０００９】
上記の課題を解決するため、本発明にあっては、手書きボードに記載された内容を画像として取り込むボード情報取得手段と、前記ボード情報取得手段から取得した画像を保存するかどうか判断する画像保存判断手段と、保存すると判断された画像を永続化領域に保存する画像保存手段とを備え、前記画像保存判断手段は、保存されている画像がない場合は、取り込んだ画像を保存し、取り込んだ画像が、保存されている最新の画像と同じ場合は、取り込んだ画像を破棄し、取り込んだ画像が、保存されている最新の画像と同じでない場合であって、追記である場合は、保存されている最新の画像を削除した上で取り込んだ画像を保存し、取り込んだ画像が、保存されている最新の画像と同じでない場合であって、消去の開始である場合は、取り込んだ画像を保存し、取り込んだ画像が、保存されている最新の画像と同じでない場合であって、消去の継続である場合は、保存されている最新の画像を削除した上で取り込んだ画像を保存するようにしている。
【発明の効果】
【００１０】
本発明のボード記載内容記録システムにあっては、人の手間を要せず、検索性に優れ、データの保管場所の容量を圧迫せず、途中で消された内容を含む全ての内容を余分な内容がなく網羅して保存することができる。
【図面の簡単な説明】
【００１１】
【図１】第１の実施形態におけるボード記載内容記録システムのハードウェア構成例を示す図である。
【図２】第１の実施形態におけるボード記載内容記録システムの機能ブロック構成例を示す図である。
【図３】第１の実施形態の処理例を示すフローチャートである。
【図４】第１の実施形態における手書きボードから取り込まれる画像と保存される画像の例を示す図である。
【図５】第２の実施形態におけるボード記載内容記録システムの機能ブロック構成例を示す図である。
【図６】第２の実施形態の処理例を示すフローチャートである。
【図７】第３の実施形態におけるボード記載内容記録システムの機能ブロック構成例を示す図である。
【図８】第３の実施形態の処理例を示すフローチャートである。
【図９】第４の実施形態の処理例を示すフローチャートである。
【図１０】第５の実施形態におけるボード記載内容記録システムの機能ブロック構成例を示す図である。
【図１１】第５の実施形態の処理例を示すフローチャートである。
【図１２】第６の実施形態の処理例を示すフローチャートである。
【図１３】第７の実施形態におけるボード記載内容記録システムのハードウェア構成例を示す図である。
【図１４】第７の実施形態におけるボード記載内容記録システムの機能ブロック構成例を示す図である。
【図１５】第７の実施形態の処理例を示すフローチャートである。
【図１６】第８の実施形態におけるボード記載内容記録システムの機能ブロック構成例を示す図である。
【図１７】第８の実施形態の処理例を示すフローチャートである。
【図１８】第９の実施形態におけるボード記載内容記録システムの機能ブロック構成例を示す図である。
【図１９】第９の実施形態の処理例を示すフローチャートである。
【図２０】第１０の実施形態におけるボード記載内容記録システムのハードウェア構成例を示す図である。
【図２１】第１０の実施形態におけるボード記載内容記録システムの機能ブロック構成例を示す図である。
【図２２】第１０の実施形態の処理例を示すフローチャートである。
【図２３】第１１の実施形態におけるボード記載内容記録システムのハードウェア構成例を示す図である。
【図２４】第１１の実施形態におけるボード記載内容記録システムの機能ブロック構成例を示す図である。
【図２５】第１１の実施形態の処理例を示すフローチャートである。
【図２６】第１２の実施形態におけるボード記載内容記録システムの機能ブロック構成例を示す図である。
【図２７】第１２の実施形態の処理例を示すフローチャートである。
【発明を実施するための形態】
【００１２】
以下、本発明の好適な実施形態につき説明する。
【００１３】
＜第１の実施形態＞
第１の実施形態はボード記載内容記録システムの基本的な構成例を示すものであり、ホワイトボード等の手書きボードに記載された内容を所定の時間間隔で入力デバイスにより電子的な画像（画像データ）として取り込み、保存する必要がある画像かどうかを判断し、保存する必要があると判断された画像だけを永続化領域に残るようしている。どのようにして必要な画像かどうか判断し、必要と判断した画像だけが永続化領域に残るようにするのかの処理の流れ（アルゴリズム）がポイントとなる。
【００１４】
本実施形態では、手書きボードに記載された内容を全て残すこととしている。そのため、保存する画像と保存しない画像の判断条件を次のようにしている。
［保存する画像］
・手書きボードに記載されている内容が一部でも消去された場合、消去された内容が残っている画像。
・最新の手書きボードの内容が入っている画像。
・手書きボードに記載されている内容に追記のみが発生している場合、追記された内容が入っている画像。
［保存しない画像／削除する画像］
・すでに保存されている画像と同じ画像。
・手書きボードに記載されている内容に追記のみが発生している場合、保存されている追記される前の画像。
【００１５】
図１は第１の実施形態におけるボード記載内容記録システムのハードウェア構成例を示す図である。
【００１６】
図１において、ボード記載内容記録システムは、ホワイトボード等の手書きボード１と、入力デバイス２と、入力デバイス２にＬＡＮ（Local Area Network）等のネットワーク３を介して接続された汎用ＰＣ等の管理装置４とを含んでいる。
【００１７】
入力デバイス２は、手書きボード１と一体に構成される場合と、手書きボード１とは別体に構成される場合とがある。手書きボード１が手書き内容を電子的にキャプチャするマルチメディアボードとなっていて入力デバイス２を兼ねている場合は、手書きボード１と入力デバイス２は一体に構成される。入力デバイス２がカメラである場合は、手書きボード１に一体に入力デバイス２が設けられている場合と、外付けで手書きボード１やその周囲に入力デバイス２が取り付けられる場合とがある。
【００１８】
入力デバイス２は、データバス２１に接続されたＣＰＵ（Central Processing Unit）２２とメモリ２３とボード情報取得部２４とネットワーク通信制御部２５とを備えている。ボード情報取得部２４は、手書きボード１のキャプチャ部である場合と、カメラ等である場合とがある。ネットワーク通信制御部２５はＮＩＣ（Network Interface Card）等である。
【００１９】
管理装置４は、データバス４１に接続されたＣＰＵ４２とメモリ４３と永続化領域４４とネットワーク通信制御部４５とを備えている。永続化領域４４はＨＤＤ（Hard Disk Drive）、フラッシュメモリ等の不揮発性の記憶デバイスである。ネットワーク通信制御部４５はＮＩＣ等である。
【００２０】
図２は第１の実施形態におけるボード記載内容記録システムの機能ブロック構成例を示す図である。
【００２１】
図２において、入力デバイス２は、情報取得動作制御手段２０１とボード情報取得手段２０２と通信手段２０３とを備えている。
【００２２】
情報取得動作制御手段２０１は、手書きボード１に記載された情報を取得するための動作の主たる制御を行う機能を有している。
【００２３】
ボード情報取得手段２０２は、手書きボード１に記載された情報を電子的に機器内に取り込む機能を有している。
【００２４】
通信手段２０３は、連携する入力デバイス２と管理装置４の間での通信を行う機能を有している。
【００２５】
また、管理装置４は、画像保存手段４０１と画像保存判断手段４０２と画像比較手段４０３と画像情報抽出手段４０４と情報取得タイミング判断手段４０５と通信手段４０６とを備えている。
【００２６】
画像保存手段４０１は、永続化領域４４（図１）にアクセスし、永続化領域４４に画像を保存し、または、永続化領域４４に保存されている画像を削除する機能を有している。画像保存手段４０１は、保存する画像のファイル名に通し番号を付すか、ファイルに付される保存日時から、最新の画像を特定して取得できるようになっている。
【００２７】
画像保存判断手段４０２は、画像を保存する必要があるかどうかを判断するとともに、既に保存されている画像を削除する必要があるかどうかを判断する機能を有している。画像保存判断手段４０２は、消去期間フラグを有している。消去期間フラグとは、手書きボード１の記載内容の消去が始まってから、手書きボード１の記載内容に追記が発生するまでの期間にあることを表しており、手書きボード１の消去が始まる直前の画像のみを保存し、消去期間中の最新の画像以外は保存しないようにするための判定を行うために用いるフラグである。要するに、消去期間フラグとは、消去途中の画像を保存しないようにするための動作制御フラグである。
【００２８】
画像比較手段４０３は、２つの画像を比較し、２つの画像に差異があるかどうか判別する機能を有している。
【００２９】
画像情報抽出手段４０４は、取得した画像から画像情報（位置、色）を抽出する機能を有している。
【００３０】
情報取得タイミング判断手段４０５は、入力デバイス２から情報を取得するタイミング（時間間隔）を管理し、情報を取得するタイミングになった際に、情報の取得を要求する機能を有している。
【００３１】
通信手段４０６は、連携する入力デバイス２と管理装置４の間での通信を行う機能を有している。
【００３２】
なお、入力デバイス２と管理装置４を別体としてネットワーク３により接続する構成例について説明したが、入力デバイス２と管理装置４を一体に構成してもよい。この場合、データバス、ＣＰＵ、メモリ等は兼用することが可能である。また、入力デバイス２と管理装置４の間の通信についてのネットワーク通信制御部は不要となる。
【００３３】
図３は上記の第１の実施形態の処理例を示すフローチャートである。
【００３４】
図３において、管理装置４の画像保存判断手段４０２は消去期間フラグをＯＦＦとした状態で動作を開始する（ステップＳ１０１）。
【００３５】
次いで、情報取得タイミング判断手段４０５は、ＣＰＵ４２の管理下にあるタイマにより情報取得タイミングを判断し、前回の情報取得から一定時間経過したか、もしくは初回かを判断する（ステップＳ１０２、Ｓ１０３）。前回の情報取得から一定時間経過しておらず初回でもないと判断した場合（ステップＳ１０３のＮＯ）、同判断を継続する。
【００３６】
前回の情報取得から一定時間経過したか、もしくは初回であると判断した場合（ステップＳ１０３のＹＥＳ）、情報取得タイミング判断手段４０５は、通信手段４０６を通じて入力デバイス２に対して情報取得指示を行う（ステップＳ１０４）。
【００３７】
入力デバイス２の情報取得動作制御手段２０１は、通信手段２０３を通じて情報取得指示を受け取り（ステップＳ１０５）、ボード情報取得手段２０２により手書きボード１に記載された内容の画像を取得し（ステップＳ１０６）、通信手段２０３により管理装置４に送信する（ステップＳ１０７）。
【００３８】
管理装置４の通信手段４０６により画像を受け取ると（ステップＳ１０８）、画像保存判断手段４０２は、画像保存手段４０１により、保存されている画像があるか否か判断する（ステップＳ１０９）。例えば、現在進行中の会議等の画像を保存する所定のフォルダ内に画像のファイルが存在するか否かで判断する。
【００３９】
保存されている画像がないと判断した場合（ステップＳ１０９のＮＯ）、画像保存判断手段４０２は、取得した画像を画像保存手段４０１により永続化領域４４に保存し（ステップＳ１１０）、次の画像についての情報取得タイミングの判断（ステップＳ１０２）に戻る。
【００４０】
保存されている画像があると判断した場合（ステップＳ１０９のＹＥＳ）、画像保存判断手段４０２は、入力デバイス２から取得した画像と、画像保存手段４０１から取得した、保存されている画像のうちの最新の画像とを画像比較手段４０３により比較し、同じ画像であるか否か判断する（ステップＳ１１１、Ｓ１１２）。
【００４１】
同じ画像であると判断した場合（ステップＳ１１２のＹＥＳ）、画像保存判断手段４０２は、入力デバイス２から取得した画像を破棄し（ステップＳ１１３）、次の画像についての情報取得タイミングの判断（ステップＳ１０２）に戻る。
【００４２】
同じ画像でないと判断した場合（ステップＳ１１２のＮＯ）、画像保存判断手段４０２は、画像中の変更があった箇所の画像情報（位置、色）を画像情報抽出手段４０４により抽出し、変更箇所の色が基準値であるか否か判断する（ステップＳ１１４、Ｓ１１５）。基準値は手書きボード１の背景色であり、例えばＲＧＢ（Red Green Blue）の値で記憶してある。基準値の指定方法としては、事前のカメラによる撮影（何も記載していない手書きボード１をユーザの指示により撮影等）や、ユーザがＲＧＢの値を直接入力するという方法がとれる。基準値は手書きボード１の下地の色を表したものであるため、変更箇所の画像情報が基準値と異なっていた場合は、手書きボード１の記載内容に追記がされたと判断し、基準値と一致する場合は、手書きボード１の記載内容が消去されたと判断することができる。
【００４３】
変更があった箇所の色が基準値でない、すなわち追記であると判断した場合（ステップＳ１１５のＮＯ）、画像保存判断手段４０２は、消去期間フラグがＯＮであるか否か判断する（ステップＳ１１６）。
【００４４】
消去期間フラグがＯＮでない場合（ステップＳ１１６のＮＯ）はそのままとし、ＯＮである場合（ステップＳ１１６のＹＥＳ）は消去期間フラグをＯＦＦにして（ステップＳ１１７）、画像保存手段４０１により、保存されている最新の画像を削除し、入力デバイス２から取得した画像を保存し（ステップＳ１１８）、次の画像についての情報取得タイミングの判断（ステップＳ１０２）に戻る。
【００４５】
変更があった箇所の色が基準値である、すなわち消去であると判断した場合（ステップＳ１１５のＹＥＳ）、画像保存判断手段４０２は、消去期間フラグがＯＮであるか否か判断する（ステップＳ１１９）。
【００４６】
消去期間フラグがＯＮでない場合（ステップＳ１１９のＮＯ）、画像保存手段４０１により、入力デバイス２から取得した画像を保存し、消去期間フラグをＯＮにし（ステップＳ１２０）、次の画像についての情報取得タイミングの判断（ステップＳ１０２）に戻る。ＯＮになった消去期間フラグは、追記の検出によってＯＦＦにされる（ステップＳ１１７）までの間は消去が継続していることを示すことになる。
【００４７】
消去期間フラグがＯＮである場合（ステップＳ１１９のＹＥＳ）、画像保存手段４０１により、保存されている最新の画像を削除し、入力デバイス２から取得した画像を保存し（ステップＳ１１８）、次の画像についての情報取得タイミングの判断（ステップＳ１０２）に戻る。
【００４８】
図４は第１の実施形態における手書きボード１から取り込まれる画像と保存される画像の例を示す図である。
【００４９】
図４において、時間の経過に従って画像＃１〜＃６が手書きボード１から入力デバイス２によって管理装置４に取り込まれるものとしている。
【００５０】
画像＃１は最初に取り込まれた画像であるため保存される。
【００５１】
次に、星の図形が記載されていた画像＃１に対して、画像＃２は三角と四角の図形が追記されたものであるため、画像＃２の取得後の時点で消去期間フラグはＯＦＦのままであり、画像＃１が削除されて画像＃２が保存される。
【００５２】
次に、画像＃２に対して、画像＃３は三角の図形が消去されたものであるため、画像＃３の取得後の時点で消去期間フラグがＯＮとされ、画像＃２は消去前の画像として保存されたままとなる。画像＃３は消去の開始時の画像として保存される。
【００５３】
次に、画像＃３に対して、画像＃４は四角の図形が消去されたものであるため、消去が継続し、消去期間フラグはＯＮのままであり、画像＃３が削除されて画像＃４が保存される。
【００５４】
次に、画像＃４に対して、画像＃５は丸の図形が追記されたものであるため、画像＃５の取得後の時点で消去期間フラグがＯＦＦとされ、画像＃４が削除されて画像＃５が保存される。
【００５５】
次に、画像＃５に対して、画像＃６は変化がないため、画像＃６は保存されない。
【００５６】
従って、画像＃６の取得後の時点で保存されている画像は、画像＃２と画像＃５となる。
【００５７】
なお、ユーザは管理装置４にアクセス可能なデバイスを用いて、保存された画像にいつでもアクセスして利用することが可能である。ただし、保存された画像はリアルタイムに更新されており、保存されている画像は変化している。
【００５８】
＜第２の実施形態＞
第２の実施形態は、手書きボードから取得された画像の特徴量から、手書きボードが初期化（全て消去）されたことを検出した場合に新たな画像格納フォルダを生成し、当該画像格納フォルダに画像を分類して保存するようにしたものである。
【００５９】
複数の検討議題が１つの手書きボードで議論され、その情報を画像として保存する際、複数の画像が１つの画像格納フォルダに保存されたとき、複数議題の画像が混在し、混乱を招く懸念が生じる。本実施形態では、手書きボードが初期化された場合は検討課題が切り替わったと判断し、切り替わったタイミング以降の手書きボードの画像を別のフォルダを作成して格納するので、検討課題ごとに画像を分類し、保存することができる。これにより、ユーザが必要な画像を検索するのを容易にすることができる。
【００６０】
第２の実施形態におけるハードウェア構成は図１に示した第１の実施形態の場合と同様である。
【００６１】
図５は第２の実施形態におけるボード記載内容記録システムの機能ブロック構成例を示す図である。
【００６２】
図５において、管理装置４に画像分類手段４０７が追加された以外は図２に示した第１の実施形態の場合と同様である。
【００６３】
画像分類手段４０７は、手書きボード１から入力デバイス２により取得された画像の特徴量から手書きボード１が初期化されたかどうか判断し、初期化されたと判断した場合に、画像保存手段４０１により永続化領域４４（図１）に新たな画像格納フォルダを生成する機能を有している。
【００６４】
また、画像保存手段４０１は、新たに画像格納フォルダを生成するとともに、動的に設定される画像格納フォルダに対して処理を行うように機能が拡張されている。
【００６５】
図６は上記の第２の実施形態の処理例を示すフローチャートである。
【００６６】
図６において、管理装置４の画像保存判断手段４０２は消去期間フラグをＯＦＦとした状態で動作を開始する（ステップＳ２０１）。
【００６７】
次いで、画像保存手段４０１は、現時点の画像格納フォルダNo.iをNo.0に設定し（ステップＳ２０２）、No.0をフォルダ名等に反映させた画像格納フォルダを生成する（ステップＳ２０３）。例えば、ｉをそのままフォルダ名にしてもよいし、固定のフォルダ名にｉを付加してもよいし、ｉに対応した任意のフォルダ名を予め登録したテーブルからフォルダ名を得るようにしてもよい。
【００６８】
次いで、情報取得タイミング判断手段４０５は、ＣＰＵ４２の管理下にあるタイマにより情報取得タイミングを判断し、前回の情報取得から一定時間経過したか、もしくは初回かを判断する（ステップＳ２０４、Ｓ２０５）。前回の情報取得から一定時間経過しておらず初回でもないと判断した場合（ステップＳ２０５のＮＯ）、同判断を継続する。
【００６９】
前回の情報取得から一定時間経過したか、もしくは初回であると判断した場合（ステップＳ２０５のＹＥＳ）、情報取得タイミング判断手段４０５は、通信手段４０６を通じて入力デバイス２に対して情報取得指示を行う（ステップＳ２０６）。
【００７０】
入力デバイス２の情報取得動作制御手段２０１は、通信手段２０３を通じて情報取得指示を受け取り（ステップＳ２０７）、ボード情報取得手段２０２により手書きボード１に記載された内容の画像を取得し（ステップＳ２０８）、通信手段２０３により管理装置４に送信する（ステップＳ２０９）。
【００７１】
管理装置４の通信手段４０６により画像を受け取ると（ステップＳ２１０）、画像分類手段４０７は、入力デバイス２から取得した画像の特徴量から手書きボード１が初期化されているかどうか判断する（ステップＳ２１１、Ｓ２１２）。ここで、画像分類手段４０７は、前回判断した特徴量を保持しておく等によって、初回の初期化された状態の画像や、初期化された状態の画像が連続する場合は、初期化されていないと判断する。
【００７２】
手書きボード１が初期化されていないと判断した場合（ステップＳ２１２のＮＯ）はそのままとし、初期化されていると判断した場合（ステップＳ２１２のＹＥＳ）は、画像分類手段４０７は、画像保存手段４０１により、現時点の画像格納フォルダNo.iのｉを１加算し（ステップＳ２１３）、No.iをフォルダ名等に反映させた画像格納フォルダを生成する（ステップＳ２１４）。
【００７３】
また、手書きボード１が初期化されていないと判断した場合（ステップＳ２１２のＮＯ）、画像保存判断手段４０２は、画像保存手段４０１により、現時点の画像格納フォルダ内に保存されている画像があるか否か判断する（ステップＳ２１５）。
【００７４】
保存されている画像がないと判断した場合（ステップＳ２１５のＮＯ）もしくは画像格納フォルダを生成（ステップＳ２１４）した後、画像保存判断手段４０２は、取得した画像を画像保存手段４０１により永続化領域４４に保存し（ステップＳ２１６）、次の画像についての情報取得タイミングの判断（ステップＳ２０４）に戻る。
【００７５】
保存されている画像があると判断した場合（ステップＳ２１５のＹＥＳ）、画像保存判断手段４０２は、入力デバイス２から取得した画像と、画像保存手段４０１から取得した、保存されている画像のうちの最新の画像とを画像比較手段４０３により比較し、同じ画像であるか否か判断する（ステップＳ２１７、Ｓ２１８）。
【００７６】
同じ画像であると判断した場合（ステップＳ２１８のＹＥＳ）、画像保存判断手段４０２は、入力デバイス２から取得した画像を破棄し（ステップＳ２１９）、次の画像についての情報取得タイミングの判断（ステップＳ２０４）に戻る。
【００７７】
同じ画像でないと判断した場合（ステップＳ２１８のＮＯ）、画像保存判断手段４０２は、画像中の変更があった箇所の画像情報（位置、色）を画像情報抽出手段４０４により抽出し、変更箇所の色が基準値であるか否か判断する（ステップＳ２２０、Ｓ２２１）。
【００７８】
変更があった箇所の色が基準値でない、すなわち追記であると判断した場合（ステップＳ２２１のＮＯ）、画像保存判断手段４０２は、消去期間フラグがＯＮであるか否か判断する（ステップＳ２２２）。
【００７９】
消去期間フラグがＯＮでない場合（ステップＳ２２２のＮＯ）はそのままとし、ＯＮである場合（ステップＳ２２２のＹＥＳ）は消去期間フラグをＯＦＦにして（ステップＳ２２３）、画像保存手段４０１により、現時点の画像格納フォルダに保存されている最新の画像を削除し、入力デバイス２から取得した画像をその画像格納フォルダに保存し（ステップＳ２２４）、次の画像についての情報取得タイミングの判断（ステップＳ２０４）に戻る。
【００８０】
変更があった箇所の色が基準値である、すなわち消去であると判断した場合（ステップＳ２２１のＹＥＳ）、画像保存判断手段４０２は、消去期間フラグがＯＮであるか否か判断する（ステップＳ２２５）。
【００８１】
消去期間フラグがＯＮでない場合（ステップＳ２２５のＮＯ）、画像保存手段４０１により、入力デバイス２から取得した画像を現時点の画像格納フォルダに保存し、消去期間フラグをＯＮにし（ステップＳ２２６）、次の画像についての情報取得タイミングの判断（ステップＳ２０４）に戻る。
【００８２】
消去期間フラグがＯＮである場合（ステップＳ２１５のＹＥＳ）、画像保存手段４０１により、現時点の画像格納フォルダに保存されている最新の画像を削除し、入力デバイス２から取得した画像をその画像格納フォルダに保存し（ステップＳ２２４）、次の画像についての情報取得タイミングの判断（ステップＳ２０４）に戻る。
【００８３】
＜第３の実施形態＞
第３の実施形態は、手書きボードに記載された内容である文字・図形の色を判別し、その色に従い処理（画像の保存可否や保存場所等）を変更するようにしたものであり、特に特定の色が検出された場合に画像の保存を行わないようにしたものである。
【００８４】
これにより、会議場所で共有・説明するために手書きボードに記載はしたいが、記録としては残したくないというセキュリティ要件を満たすことができる。
【００８５】
第３の実施形態におけるハードウェア構成は図１に示した第１の実施形態の場合と同様である。
【００８６】
図７は第３の実施形態におけるボード記載内容記録システムの機能ブロック構成例を示す図である。
【００８７】
図７において、管理装置４に色識別手段４０８が追加された以外は図２に示した第１の実施形態の場合と同様である。
【００８８】
色識別手段４０８は、画像に特定の色による記載が含まれているかどうか判断する機能を有している。
【００８９】
図８は第３の実施形態の処理例を示すフローチャートである。
【００９０】
図８において、管理装置４の画像保存判断手段４０２は消去期間フラグをＯＦＦとした状態で動作を開始する（ステップＳ３０１）。
【００９１】
次いで、情報取得タイミング判断手段４０５は、ＣＰＵ４２の管理下にあるタイマにより情報取得タイミングを判断し、前回の情報取得から一定時間経過したか、もしくは初回かを判断する（ステップＳ３０２、Ｓ３０３）。前回の情報取得から一定時間経過しておらず初回でもないと判断した場合（ステップＳ３０３のＮＯ）、同判断を継続する。
【００９２】
前回の情報取得から一定時間経過したか、もしくは初回であると判断した場合（ステップＳ３０３のＹＥＳ）、情報取得タイミング判断手段４０５は、通信手段４０６を通じて入力デバイス２に対して情報取得指示を行う（ステップＳ３０４）。
【００９３】
入力デバイス２の情報取得動作制御手段２０１は、通信手段２０３を通じて情報取得指示を受け取り（ステップＳ３０５）、ボード情報取得手段２０２により手書きボード１に記載された内容の画像を取得し（ステップＳ３０６）、通信手段２０３により管理装置４に送信する（ステップＳ３０７）。
【００９４】
管理装置４の通信手段４０６により画像を受け取ると（ステップＳ３０８）、色識別手段４０８は、取得した画像に特定の色の記載が含まれているかどうかを判断する（ステップＳ３０９、Ｓ３１０）。特定の色は、予め色を決めておいてもよいし、ユーザが指定してもよい。
【００９５】
取得した画像に特定の色の記載が含まれていないと判断した場合（ステップＳ３１０のＮＯ）、画像保存判断手段４０２は、画像保存手段４０１により、保存されている画像があるか否か判断する（ステップＳ３１１）。
【００９６】
保存されている画像がないと判断した場合（ステップＳ３１１のＮＯ）、画像保存判断手段４０２は、取得した画像を画像保存手段４０１により永続化領域４４に保存し（ステップＳ３１２）、次の画像についての情報取得タイミングの判断（ステップＳ３０２）に戻る。
【００９７】
保存されている画像があると判断した場合（ステップＳ３１１のＹＥＳ）、画像保存判断手段４０２は、入力デバイス２から取得した画像と、画像保存手段４０１から取得した、保存されている画像のうちの最新の画像とを画像比較手段４０３により比較し、同じ画像であるか否か判断する（ステップＳ３１３、Ｓ３１４）。
【００９８】
同じ画像であると判断した場合（ステップＳ３１２のＹＥＳ）もしくは画像に特定の色の記載が含まれていると判断した場合（ステップＳ３１０のＹＥＳ）、画像保存判断手段４０２は、入力デバイス２から取得した画像を破棄し（ステップＳ３１５）、次の画像についての情報取得タイミングの判断（ステップＳ３０２）に戻る。
【００９９】
同じ画像でないと判断した場合（ステップＳ３１４のＮＯ）、画像保存判断手段４０２は、画像中の変更があった箇所の画像情報（位置、色）を画像情報抽出手段４０４により抽出し、変更箇所の色が基準値であるか否か判断する（ステップＳ３１６、Ｓ３１７）。
【０１００】
変更があった箇所の色が基準値でない、すなわち追記であると判断した場合（ステップＳ３１７のＮＯ）、画像保存判断手段４０２は、消去期間フラグがＯＮであるか否か判断する（ステップＳ３１８）。
【０１０１】
消去期間フラグがＯＮでない場合（ステップＳ３１８のＮＯ）はそのままとし、ＯＮである場合（ステップＳ３１８のＹＥＳ）は消去期間フラグをＯＦＦにして（ステップＳ３１９）、画像保存手段４０１により、保存されている最新の画像を削除し、入力デバイス２から取得した画像を保存し（ステップＳ３２０）、次の画像についての情報取得タイミングの判断（ステップＳ３０２）に戻る。
【０１０２】
変更があった箇所の色が基準値である、すなわち消去であると判断した場合（ステップＳ３１７のＹＥＳ）、画像保存判断手段４０２は、消去期間フラグがＯＮであるか否か判断する（ステップＳ３２１）。
【０１０３】
消去期間フラグがＯＮでない場合（ステップＳ３２１のＮＯ）、画像保存手段４０１により、入力デバイス２から取得した画像を保存し、消去期間フラグをＯＮにし（ステップＳ３２２）、次の画像についての情報取得タイミングの判断（ステップＳ３０２）に戻る。
【０１０４】
消去期間フラグがＯＮである場合（ステップＳ３２１のＹＥＳ）、画像保存手段４０１により、保存されている最新の画像を削除し、入力デバイス２から取得した画像を保存し（ステップＳ３２０）、次の画像についての情報取得タイミングの判断（ステップＳ３０２）に戻る。
【０１０５】
＜第４の実施形態＞
第４の実施形態は、手書きボードに記載された内容である文字・図形の色を判別し、その色に従い処理（画像の保存可否や保存場所等）を変更するようにしたものであり、特に特定の色が検出された場合に特定のフォルダに画像の保存を行うようにしたものである。
【０１０６】
議題によって特定の色を使うことにより、自動的にフォルダを分けることができ、後からユーザが議事の内容を判別・理解しやすくなる。
【０１０７】
第４の実施形態におけるハードウェア構成は図１に示した第１の実施形態の場合と同様であり、機能ブロック構成は図７に示した第３の実施形態の場合と同様である。
【０１０８】
図９は第４の実施形態の処理例を示すフローチャートである。
【０１０９】
図９において、管理装置４の画像保存判断手段４０２は消去期間フラグをＯＦＦとした状態で動作を開始する（ステップＳ４０１）。
【０１１０】
次いで、画像保存手段４０１は、デフォルトの画像格納フォルダを生成し、この画像格納フォルダを画像保存先とする（ステップＳ４０２）。
【０１１１】
次いで、情報取得タイミング判断手段４０５は、ＣＰＵ４２の管理下にあるタイマにより情報取得タイミングを判断し、前回の情報取得から一定時間経過したか、もしくは初回かを判断する（ステップＳ４０３、Ｓ４０４）。前回の情報取得から一定時間経過しておらず初回でもないと判断した場合（ステップＳ４０４のＮＯ）、同判断を継続する。
【０１１２】
前回の情報取得から一定時間経過したか、もしくは初回であると判断した場合（ステップＳ４０４のＹＥＳ）、情報取得タイミング判断手段４０５は、通信手段４０６を通じて入力デバイス２に対して情報取得指示を行う（ステップＳ４０５）。
【０１１３】
入力デバイス２の情報取得動作制御手段２０１は、通信手段２０３を通じて情報取得指示を受け取り（ステップＳ４０６）、ボード情報取得手段２０２により手書きボード１に記載された内容の画像を取得し（ステップＳ４０７）、通信手段２０３により管理装置４に送信する（ステップＳ４０８）。
【０１１４】
管理装置４の通信手段４０６により画像を受け取ると（ステップＳ４０９）、色識別手段４０８は、取得した画像に特定の色の記載が含まれているかどうかを判断する（ステップＳ４１０、Ｓ４１１）。特定の色は、予め色を決めておいてもよいし、ユーザが指定してもよい。
【０１１５】
取得した画像に特定の色の記載が含まれていると判断した場合（ステップＳ４１１のＹＥＳ）、色識別手段４０８は、特定画像格納フォルダが生成されているか判断する（ステップＳ４１２）。
【０１１６】
特定画像格納フォルダが生成されていると判断した場合（ステップＳ４１２のＹＥＳ）はそのままとし、生成されていないと判断した場合（ステップＳ４１２のＮＯ）は、画像保存手段４０１により特定画像格納フォルダを生成し（ステップＳ４１３）、今回の画像の保存先をデフォルトの画像格納フォルダから特定画像格納フォルダに変更する（ステップＳ４１４）。なお、適用されるのは今回の画像のみであり、次の画像は改めて判断することになる。
【０１１７】
そして、取得した画像に特定の色の記載が含まれていないと判断した場合（ステップＳ４１１のＮＯ）とともに、画像保存判断手段４０２は、画像保存手段４０１により、保存されている画像があるか否か判断する（ステップＳ４１５）。保存されている画像があるか否かはデフォルトの画像格納フォルダと、生成されている場合には特定画像格納フォルダの両者に対して確認する。
【０１１８】
保存されている画像がないと判断した場合（ステップＳ４１５のＮＯ）、画像保存判断手段４０２は、取得した画像を画像保存手段４０１により永続化領域４４に保存し（ステップＳ４１６）、次の画像についての情報取得タイミングの判断（ステップＳ４０３）に戻る。
【０１１９】
保存されている画像があると判断した場合（ステップＳ４１５のＹＥＳ）、画像保存判断手段４０２は、入力デバイス２から取得した画像と、画像保存手段４０１から取得した、保存されている画像のうちの最新の画像とを画像比較手段４０３により比較し、同じ画像であるか否か判断する（ステップＳ４１７、Ｓ４１８）。
【０１２０】
同じ画像であると判断した場合（ステップＳ４１８のＹＥＳ）、画像保存判断手段４０２は、入力デバイス２から取得した画像を破棄し（ステップＳ４１９）、次の画像についての情報取得タイミングの判断（ステップＳ４０３）に戻る。
【０１２１】
同じ画像でないと判断した場合（ステップＳ４１８のＮＯ）、画像保存判断手段４０２は、画像中の変更があった箇所の画像情報（位置、色）を画像情報抽出手段４０４により抽出し、変更箇所の色が基準値であるか否か判断する（ステップＳ４２０、Ｓ４２１）。
【０１２２】
変更があった箇所の色が基準値でない、すなわち追記であると判断した場合（ステップＳ４２１のＮＯ）、画像保存判断手段４０２は、消去期間フラグがＯＮであるか否か判断する（ステップＳ４２２）。
【０１２３】
消去期間フラグがＯＮでない場合（ステップＳ４２２のＮＯ）はそのままとし、ＯＮである場合（ステップＳ４２２のＹＥＳ）は消去期間フラグをＯＦＦにして（ステップＳ４２３）、画像保存手段４０１により、保存されている最新の画像を削除し、入力デバイス２から取得した画像を保存し（ステップＳ４２４）、次の画像についての情報取得タイミングの判断（ステップＳ４０３）に戻る。
【０１２４】
変更があった箇所の色が基準値である、すなわち消去であると判断した場合（ステップＳ４２１のＹＥＳ）、画像保存判断手段４０２は、消去期間フラグがＯＮであるか否か判断する（ステップＳ４２５）。
【０１２５】
消去期間フラグがＯＮでない場合（ステップＳ４２５のＮＯ）、画像保存手段４０１により、入力デバイス２から取得した画像を保存し、消去期間フラグをＯＮにし（ステップＳ４２６）、次の画像についての情報取得タイミングの判断（ステップＳ４０３）に戻る。
【０１２６】
消去期間フラグがＯＮである場合（ステップＳ４２５のＹＥＳ）、画像保存手段４０１により、保存されている最新の画像を削除し、入力デバイス２から取得した画像を保存し（ステップＳ４２４）、次の画像についての情報取得タイミングの判断（ステップＳ４０３）に戻る。
【０１２７】
第３の実施形態および第４の実施形態として具体的な処理について説明したが、色と処理との対応関係を予め登録したテーブルを設け、画像から検出した色に対応した処理を行うようにすることができる。
【０１２８】
＜第５の実施形態＞
第５の実施形態は、手書きボードに記載された内容から特定の記号を判別し、その記号に従い処理（画像の保存可否や保存場所等）を変更するようにしたものであり、特に特定の記号が検出された場合に画像の保存を行わないようにしたものである。
【０１２９】
これにより、会議場所で共有・説明するために手書きボードに記載はしたいが、記録としては残したくないというセキュリティ要件を満たすことができる。
【０１３０】
第５の実施形態におけるハードウェア構成は図１に示した第１の実施形態の場合と同様である。
【０１３１】
図１０は第５の実施形態におけるボード記載内容記録システムの機能ブロック構成例を示す図である。
【０１３２】
図１０において、管理装置４に記号識別手段４０９が追加された以外は図２に示した第１の実施形態の場合と同様である。
【０１３３】
記号識別手段４０９は、画像に特定の記号の記載が含まれているかどうか判断する機能を有している。
【０１３４】
図１１は第５の実施形態の処理例を示すフローチャートである。
【０１３５】
図１１において、管理装置４の画像保存判断手段４０２は消去期間フラグをＯＦＦとした状態で動作を開始する（ステップＳ５０１）。
【０１３６】
次いで、情報取得タイミング判断手段４０５は、ＣＰＵ４２の管理下にあるタイマにより情報取得タイミングを判断し、前回の情報取得から一定時間経過したか、もしくは初回かを判断する（ステップＳ５０２、Ｓ５０３）。前回の情報取得から一定時間経過しておらず初回でもないと判断した場合（ステップＳ５０３のＮＯ）、同判断を継続する。
【０１３７】
前回の情報取得から一定時間経過したか、もしくは初回であると判断した場合（ステップＳ５０３のＹＥＳ）、情報取得タイミング判断手段４０５は、通信手段４０６を通じて入力デバイス２に対して情報取得指示を行う（ステップＳ５０４）。
【０１３８】
入力デバイス２の情報取得動作制御手段２０１は、通信手段２０３を通じて情報取得指示を受け取り（ステップＳ５０５）、ボード情報取得手段２０２により手書きボード１に記載された内容の画像を取得し（ステップＳ５０６）、通信手段２０３により管理装置４に送信する（ステップＳ５０７）。
【０１３９】
管理装置４の通信手段４０６により画像を受け取ると（ステップＳ５０８）、記号識別手段４０９は、取得した画像に特定の記号の記載が含まれているかどうかを判断する（ステップＳ５０９、Ｓ５１０）。特定の記号は、予め記号を決めておいてもよいし、ユーザが指定してもよい。
【０１４０】
取得した画像に特定の記号の記載が含まれていないと判断した場合（ステップＳ５１０のＮＯ）、画像保存判断手段４０２は、画像保存手段４０１により、保存されている画像があるか否か判断する（ステップＳ５１１）。
【０１４１】
保存されている画像がないと判断した場合（ステップＳ５１１のＮＯ）、画像保存判断手段４０２は、取得した画像を画像保存手段４０１により永続化領域４４に保存し（ステップＳ５１２）、次の画像についての情報取得タイミングの判断（ステップＳ５０２）に戻る。
【０１４２】
保存されている画像があると判断した場合（ステップＳ５１１のＹＥＳ）、画像保存判断手段４０２は、入力デバイス２から取得した画像と、画像保存手段４０１から取得した、保存されている画像のうちの最新の画像とを画像比較手段４０３により比較し、同じ画像であるか否か判断する（ステップＳ５１３、Ｓ５１４）。
【０１４３】
同じ画像であると判断した場合（ステップＳ５１２のＹＥＳ）もしくは画像に特定の記号の記載が含まれていると判断した場合（ステップＳ５１０のＹＥＳ）、画像保存判断手段４０２は、入力デバイス２から取得した画像を破棄し（ステップＳ５１５）、次の画像についての情報取得タイミングの判断（ステップＳ５０２）に戻る。
【０１４４】
同じ画像でないと判断した場合（ステップＳ５１４のＮＯ）、画像保存判断手段４０２は、画像中の変更があった箇所の画像情報（位置、色）を画像情報抽出手段４０４により抽出し、変更箇所の色が基準値であるか否か判断する（ステップＳ５１６、Ｓ５１７）。
【０１４５】
変更があった箇所の色が基準値でない、すなわち追記であると判断した場合（ステップＳ５１７のＮＯ）、画像保存判断手段４０２は、消去期間フラグがＯＮであるか否か判断する（ステップＳ５１８）。
【０１４６】
消去期間フラグがＯＮでない場合（ステップＳ５１８のＮＯ）はそのままとし、ＯＮである場合（ステップＳ５１８のＹＥＳ）は消去期間フラグをＯＦＦにして（ステップＳ５１９）、画像保存手段４０１により、保存されている最新の画像を削除し、入力デバイス２から取得した画像を保存し（ステップＳ５２０）、次の画像についての情報取得タイミングの判断（ステップＳ５０２）に戻る。
【０１４７】
変更があった箇所の色が基準値である、すなわち消去であると判断した場合（ステップＳ５１７のＹＥＳ）、画像保存判断手段４０２は、消去期間フラグがＯＮであるか否か判断する（ステップＳ５２１）。
【０１４８】
消去期間フラグがＯＮでない場合（ステップＳ５２１のＮＯ）、画像保存手段４０１により、入力デバイス２から取得した画像を保存し、消去期間フラグをＯＮにし（ステップＳ５２２）、次の画像についての情報取得タイミングの判断（ステップＳ５０２）に戻る。
【０１４９】
消去期間フラグがＯＮである場合（ステップＳ５２１のＹＥＳ）、画像保存手段４０１により、保存されている最新の画像を削除し、入力デバイス２から取得した画像を保存し（ステップＳ５２０）、次の画像についての情報取得タイミングの判断（ステップＳ５０２）に戻る。
【０１５０】
＜第６の実施形態＞
第６の実施形態は、手書きボードに記載された内容から特定の記号を判別し、その記号に従い処理（画像の保存可否や保存場所等）を変更するようにしたものであり、特に特定の記号が検出された場合に特定のフォルダに画像の保存を行うようにしたものである。
【０１５１】
議題によって特定の記号を記載することにより、自動的にフォルダを分けることができ、後からユーザが議事の内容を判別・理解しやすくなる。
【０１５２】
第６の実施形態におけるハードウェア構成は図１に示した第１の実施形態の場合と同様であり、機能ブロック構成は図１０に示した第５の実施形態の場合と同様である。
【０１５３】
図１２は第６の実施形態の処理例を示すフローチャートである。
【０１５４】
図１２において、管理装置４の画像保存判断手段４０２は消去期間フラグをＯＦＦとした状態で動作を開始する（ステップＳ６０１）。
【０１５５】
次いで、画像保存手段４０１は、デフォルトの画像格納フォルダを生成し、この画像格納フォルダを画像保存先とする（ステップＳ６０２）。
【０１５６】
次いで、情報取得タイミング判断手段４０５は、ＣＰＵ４２の管理下にあるタイマにより情報取得タイミングを判断し、前回の情報取得から一定時間経過したか、もしくは初回かを判断する（ステップＳ６０３、Ｓ６０４）。前回の情報取得から一定時間経過しておらず初回でもないと判断した場合（ステップＳ６０４のＮＯ）、同判断を継続する。
【０１５７】
前回の情報取得から一定時間経過したか、もしくは初回であると判断した場合（ステップＳ６０４のＹＥＳ）、情報取得タイミング判断手段４０５は、通信手段４０６を通じて入力デバイス２に対して情報取得指示を行う（ステップＳ６０５）。
【０１５８】
入力デバイス２の情報取得動作制御手段２０１は、通信手段２０３を通じて情報取得指示を受け取り（ステップＳ６０６）、ボード情報取得手段２０２により手書きボード１に記載された内容の画像を取得し（ステップＳ６０７）、通信手段２０３により管理装置４に送信する（ステップＳ６０８）。
【０１５９】
管理装置４の通信手段４０６により画像を受け取ると（ステップＳ６０９）、記号識別手段４０９は、取得した画像に特定の記号の記載が含まれているかどうかを判断する（ステップＳ６１０、Ｓ６１１）。特定の記号は、予め記号を決めておいてもよいし、ユーザが指定してもよい。
【０１６０】
取得した画像に特定の記号の記載が含まれていると判断した場合（ステップＳ６１１のＹＥＳ）、記号識別手段４０９は、特定画像格納フォルダが生成されているか判断する（ステップＳ６１２）。
【０１６１】
特定画像格納フォルダが生成されていると判断した場合（ステップＳ６１２のＹＥＳ）はそのままとし、生成されていないと判断した場合（ステップＳ６１２のＮＯ）は、画像保存手段４０１により特定画像格納フォルダを生成し（ステップＳ６１３）、今回の画像の保存先をデフォルトの画像格納フォルダから特定画像格納フォルダに変更する（ステップＳ６１４）。なお、適用されるのは今回の画像のみであり、次の画像は改めて判断することになる。
【０１６２】
そして、取得した画像に特定の記号の記載が含まれていないと判断した場合（ステップＳ６１１のＮＯ）とともに、画像保存判断手段４０２は、画像保存手段４０１により、保存されている画像があるか否か判断する（ステップＳ６１５）。保存されている画像があるか否かはデフォルトの画像格納フォルダと、生成されている場合には特定画像格納フォルダの両者に対して確認する。
【０１６３】
保存されている画像がないと判断した場合（ステップＳ６１５のＮＯ）、画像保存判断手段４０２は、取得した画像を画像保存手段４０１により永続化領域４４に保存し（ステップＳ６１６）、次の画像についての情報取得タイミングの判断（ステップＳ６０３）に戻る。
【０１６４】
保存されている画像があると判断した場合（ステップＳ６１５のＹＥＳ）、画像保存判断手段４０２は、入力デバイス２から取得した画像と、画像保存手段４０１から取得した、保存されている画像のうちの最新の画像とを画像比較手段４０３により比較し、同じ画像であるか否か判断する（ステップＳ６１７、Ｓ６１８）。
【０１６５】
同じ画像であると判断した場合（ステップＳ６１８のＹＥＳ）、画像保存判断手段４０２は、入力デバイス２から取得した画像を破棄し（ステップＳ６１９）、次の画像についての情報取得タイミングの判断（ステップＳ６０３）に戻る。
【０１６６】
同じ画像でないと判断した場合（ステップＳ６１８のＮＯ）、画像保存判断手段４０２は、画像中の変更があった箇所の画像情報（位置、色）を画像情報抽出手段４０４により抽出し、変更箇所の色が基準値であるか否か判断する（ステップＳ６２０、Ｓ６２１）。
【０１６７】
変更があった箇所の色が基準値でない、すなわち追記であると判断した場合（ステップＳ６２１のＮＯ）、画像保存判断手段４０２は、消去期間フラグがＯＮであるか否か判断する（ステップＳ６２２）。
【０１６８】
消去期間フラグがＯＮでない場合（ステップＳ６２２のＮＯ）はそのままとし、ＯＮである場合（ステップＳ６２２のＹＥＳ）は消去期間フラグをＯＦＦにして（ステップＳ６２３）、画像保存手段４０１により、保存されている最新の画像を削除し、入力デバイス２から取得した画像を保存し（ステップＳ６２４）、次の画像についての情報取得タイミングの判断（ステップＳ６０３）に戻る。
【０１６９】
変更があった箇所の色が基準値である、すなわち消去であると判断した場合（ステップＳ６２１のＹＥＳ）、画像保存判断手段４０２は、消去期間フラグがＯＮであるか否か判断する（ステップＳ６２５）。
【０１７０】
消去期間フラグがＯＮでない場合（ステップＳ６２５のＮＯ）、画像保存手段４０１により、入力デバイス２から取得した画像を保存し、消去期間フラグをＯＮにし（ステップＳ６２６）、次の画像についての情報取得タイミングの判断（ステップＳ６０３）に戻る。
【０１７１】
消去期間フラグがＯＮである場合（ステップＳ６２５のＹＥＳ）、画像保存手段４０１により、保存されている最新の画像を削除し、入力デバイス２から取得した画像を保存し（ステップＳ６２４）、次の画像についての情報取得タイミングの判断（ステップＳ６０３）に戻る。
【０１７２】
第５の実施形態および第６の実施形態として具体的な処理について説明したが、記号と処理との対応関係を予め登録したテーブルを設け、画像から検出した記号に対応した処理を行うようにすることができる。
【０１７３】
＜第７の実施形態＞
第７の実施形態は、手書きボード上にプレゼンテーション資料等をプロジェクタやリアプロジェクタ、液晶パネル等により表示し、その映像上に手書きで記載が行われ、取得される画像にプレゼンテーション資料等の画像が含まれる場合に対処するものであり、取得される画像からプレゼンテーション資料等の画像を抜き取って、ユーザが記載した内容のみの画像を保存するようにしたものである。
【０１７４】
手書きボードに投影されているプレゼンテーション資料等の情報とともに、ユーザが追記した情報を組み合わせて取り込んだ画像において、プレゼンテーション資料等は配布禁止の資料となっていることがあり、保存してはいけない場合がある。本実施形態では、取り込んだ撮影画像と投影画像の差分から、投影画像領域を取り除き、ユーザが記載した箇所のみの画像を保存することができるので、プレゼンテーション資料等の画像を取り除いた画像のみを保存することができる。
【０１７５】
図１３は第７の実施形態におけるボード記載内容記録システムのハードウェア構成例を示す図である。
【０１７６】
図１３において、ネットワーク３を介して管理装置４と接続される投影装置５が追加された以外は図１に示した第１の実施形態の場合と同様である。
【０１７７】
投影装置５は、データバス５１に接続されたＣＰＵ５２とメモリ５３と投影処理部５４とネットワーク通信制御部５５とを備えている。投影処理部５４はプロジェクタ、リアプロジェクタ、液晶パネル等の投影・表示デバイスである。ネットワーク通信制御部５５はＮＩＣ等である。
【０１７８】
図１４は第７の実施形態におけるボード記載内容記録システムの機能ブロック構成例を示す図である。
【０１７９】
図１４において、管理装置４に差分画像生成手段４１０が追加され、投影装置５が追加された以外は図２に示した第１の実施形態の場合と同様である。
【０１８０】
差分画像生成手段４１０は、投影装置５から投影画像を取得し、入力デバイス２から取得された画像との差分の画像を生成する機能を有している。
【０１８１】
投影装置５は、画像投影手段５０１と通信手段５０２とを備えている。画像投影手段５０１は、手書きボード１上にプレゼンテーション資料等の画像を保持して表示する機能を有している。通信手段５０２は、連携する投影装置５と管理装置４の間での通信を行う機能を有している。
【０１８２】
図１５は第７の実施形態の処理例を示すフローチャートである。
【０１８３】
図１５において、管理装置４の画像保存判断手段４０２は消去期間フラグをＯＦＦとした状態で動作を開始する（ステップＳ７０１）。
【０１８４】
次いで、情報取得タイミング判断手段４０５は、ＣＰＵ４２の管理下にあるタイマにより情報取得タイミングを判断し、前回の情報取得から一定時間経過したか、もしくは初回かを判断する（ステップＳ７０２、Ｓ７０３）。前回の情報取得から一定時間経過しておらず初回でもないと判断した場合（ステップＳ７０３のＮＯ）、同判断を継続する。
【０１８５】
前回の情報取得から一定時間経過したか、もしくは初回であると判断した場合（ステップＳ７０３のＹＥＳ）、情報取得タイミング判断手段４０５は、通信手段４０６を通じて入力デバイス２に対して情報取得指示を行う（ステップＳ７０４）。
【０１８６】
入力デバイス２の情報取得動作制御手段２０１は、通信手段２０３を通じて情報取得指示を受け取り（ステップＳ７０５）、ボード情報取得手段２０２により手書きボード１に記載された内容の画像を取得し（ステップＳ７０６）、通信手段２０３により管理装置４に送信する（ステップＳ７０７）。
【０１８７】
管理装置４の通信手段４０６により画像を受け取ると（ステップＳ７０８）、差分画像生成手段４１０は、通信手段４０６を通じて投影装置５に対して投影画像の取得を要求する（ステップＳ７０９）。
【０１８８】
投影装置５の画像投影手段５０１は通信手段５０２を通じて要求を受けると、投影画像を管理装置４に送信する（ステップＳ７１０）。
【０１８９】
管理装置４の通信手段４０６を通じて差分画像生成手段４１０が投影画像を受け取ると（ステップＳ７１１）、差分画像生成手段４１０は、入力デバイス２から取得した画像と投影装置５から取得した投影画像から、ユーザが記載した部分である差分画像を生成し、画像保存判断手段４０２に引き渡す（ステップＳ７１２）。差分画像を生成する手法としては、２画像間の対応する画素を比較し、対応する画素のＲＧＢ値を比較し、各値の差が閾値内であれば投影画像であると判定する。この処理をすべての画素に適応し、投影画像と判定されなかった画素から形成される画像を差分画像として出力する。
【０１９０】
次いで、画像保存判断手段４０２は、画像保存手段４０１により、保存されている画像があるか否か判断する（ステップＳ７１３）。
【０１９１】
保存されている画像がないと判断した場合（ステップＳ７１３のＮＯ）、画像保存判断手段４０２は、取得した画像を画像保存手段４０１により永続化領域４４に保存し（ステップＳ７１４）、次の画像についての情報取得タイミングの判断（ステップＳ７０２）に戻る。
【０１９２】
保存されている画像があると判断した場合（ステップＳ７１３のＹＥＳ）、画像保存判断手段４０２は、差分画像生成手段４１０から取得した画像と、画像保存手段４０１から取得した、保存されている画像のうちの最新の画像とを画像比較手段４０３により比較し、同じ画像であるか否か判断する（ステップＳ７１５、Ｓ７１６）。
【０１９３】
同じ画像であると判断した場合（ステップＳ７１６のＹＥＳ）、画像保存判断手段４０２は、差分画像生成手段４１０から取得した画像を破棄し（ステップＳ７１７）、次の画像についての情報取得タイミングの判断（ステップＳ７０２）に戻る。
【０１９４】
同じ画像でないと判断した場合（ステップＳ７１６のＮＯ）、画像保存判断手段４０２は、画像中の変更があった箇所の画像情報（位置、色）を画像情報抽出手段４０４により抽出し、変更箇所の色が基準値であるか否か判断する（ステップＳ７１８、Ｓ７１９）。
【０１９５】
変更があった箇所の色が基準値でない、すなわち追記であると判断した場合（ステップＳ７１９のＮＯ）、画像保存判断手段４０２は、消去期間フラグがＯＮであるか否か判断する（ステップＳ７２０）。
【０１９６】
消去期間フラグがＯＮでない場合（ステップＳ７２０のＮＯ）はそのままとし、ＯＮである場合（ステップＳ７２０のＹＥＳ）は消去期間フラグをＯＦＦにして（ステップＳ７２１）、画像保存手段４０１により、保存されている最新の画像を削除し、差分画像生成手段４１０から取得した画像を保存し（ステップＳ７２２）、次の画像についての情報取得タイミングの判断（ステップＳ７０２）に戻る。
【０１９７】
変更があった箇所の色が基準値である、すなわち消去であると判断した場合（ステップＳ７１９のＹＥＳ）、画像保存判断手段４０２は、消去期間フラグがＯＮであるか否か判断する（ステップＳ７２３）。
【０１９８】
消去期間フラグがＯＮでない場合（ステップＳ７２３のＮＯ）、画像保存手段４０１により、差分画像生成手段４１０から取得した画像を保存し、消去期間フラグをＯＮにし（ステップＳ７２４）、次の画像についての情報取得タイミングの判断（ステップＳ７０２）に戻る。
【０１９９】
消去期間フラグがＯＮである場合（ステップＳ７２３のＹＥＳ）、画像保存手段４０１により、保存されている最新の画像を削除し、差分画像生成手段４１０から取得した画像を保存し（ステップＳ７２２）、次の画像についての情報取得タイミングの判断（ステップＳ７０２）に戻る。
【０２００】
＜第８の実施形態＞
第８の実施形態は、手書きボード上にプレゼンテーション資料等をプロジェクタやリアプロジェクタ、液晶パネル等により表示し、その映像上に手書きで記載が行われ、取得される画像にプレゼンテーション資料等の画像が含まれる場合に対処するものであり、取得される画像がプレゼンテーション資料等の画像と同等の画像であると判断された場合はその画像を保存せず、破棄するようにしたものである。
【０２０１】
手書きボードに投影されているプレゼンテーション資料等はユーザがすでにデジタルデータとして保持しているデータであり、これを投影した画像を改めて保存する必要はない。本実施形態では、ユーザが所望しないプレゼンテーション資料等を取り込んだ画像を自動的に破棄することができる。
【０２０２】
第８の実施形態におけるハードウェア構成は図１３に示した第７の実施形態の場合と同様である。
【０２０３】
図１６は第８の実施形態におけるボード記載内容記録システムの機能ブロック構成例を示す図である。
【０２０４】
図１６において、管理装置４に投影画像比較手段４１１が追加され、投影装置５が追加された以外は図２に示した第１の実施形態の場合と同様である。
【０２０５】
投影画像比較手段４１１は、投影装置５から投影画像を取得し、入力デバイス２から取得された画像と同等の画像であるかどうかを判断する機能を有している。
【０２０６】
投影装置５は図１４に示した第７の実施形態の場合と同様である。
【０２０７】
図１７は第８の実施形態の処理例を示すフローチャートである。
【０２０８】
図１７において、管理装置４の画像保存判断手段４０２は消去期間フラグをＯＦＦとした状態で動作を開始する（ステップＳ８０１）。
【０２０９】
次いで、情報取得タイミング判断手段４０５は、ＣＰＵ４２の管理下にあるタイマにより情報取得タイミングを判断し、前回の情報取得から一定時間経過したか、もしくは初回かを判断する（ステップＳ８０２、Ｓ８０３）。前回の情報取得から一定時間経過しておらず初回でもないと判断した場合（ステップＳ８０３のＮＯ）、同判断を継続する。
【０２１０】
前回の情報取得から一定時間経過したか、もしくは初回であると判断した場合（ステップＳ８０３のＹＥＳ）、情報取得タイミング判断手段４０５は、通信手段４０６を通じて入力デバイス２に対して情報取得指示を行う（ステップＳ８０４）。
【０２１１】
入力デバイス２の情報取得動作制御手段２０１は、通信手段２０３を通じて情報取得指示を受け取り（ステップＳ８０５）、ボード情報取得手段２０２により手書きボード１に記載された内容の画像を取得し（ステップＳ８０６）、通信手段２０３により管理装置４に送信する（ステップＳ８０７）。
【０２１２】
管理装置４の通信手段４０６により画像を受け取ると（ステップＳ８０８）、投影画像比較手段４１１は、通信手段４０６を通じて投影装置５に対して投影画像の取得を要求する（ステップＳ８０９）。
【０２１３】
投影装置５の画像投影手段５０１は通信手段５０２を通じて要求を受けると、投影画像を管理装置４に送信する（ステップＳ８１０）。
【０２１４】
管理装置４の通信手段４０６を通じて投影画像比較手段４１１が投影画像を受け取ると（ステップＳ８１１）、投影画像比較手段４１１は、入力デバイス２から取得した画像と投影装置５から取得した投影画像を比較し、同じ画像であるかどうか判断する（ステップＳ８１２、Ｓ８１３）。投影画像と同等かを判断する手法としては、２画像間の対応する画素を比較し、対応する画素のＲＧＢ値を比較し、各値の差が閾値内であれば投影画像であると判定する。この処理をすべての画素に適応し、投影画像と判定された画素数が閾値以上であれば、投影画像と判定する。
【０２１５】
同じ画像であると判断した場合（ステップＳ８１３のＹＥＳ）、投影画像比較手段４１１は画像保存判断手段４０２に指示し、入力デバイス２から取得した画像を破棄し（ステップＳ８１８）、次の画像についての情報取得タイミングの判断（ステップＳ８０２）に戻る。
【０２１６】
同じ画像でないと判断した場合（ステップＳ８１３のＮＯ）、画像保存判断手段４０２は、画像保存手段４０１により、保存されている画像があるか否か判断する（ステップＳ８１４）。
【０２１７】
保存されている画像がないと判断した場合（ステップＳ８１４のＮＯ）、画像保存判断手段４０２は、取得した画像を画像保存手段４０１により永続化領域４４に保存し（ステップＳ８１５）、次の画像についての情報取得タイミングの判断（ステップＳ８０２）に戻る。
【０２１８】
保存されている画像があると判断した場合（ステップＳ８１４のＹＥＳ）、画像保存判断手段４０２は、入力デバイス２から取得した画像と、画像保存手段４０１から取得した、保存されている画像のうちの最新の画像とを画像比較手段４０３により比較し、同じ画像であるか否か判断する（ステップＳ８１６、Ｓ８１７）。
【０２１９】
同じ画像であると判断した場合（ステップＳ８１７のＹＥＳ）、画像保存判断手段４０２は、入力デバイス２から取得した画像を破棄し（ステップＳ８１８）、次の画像についての情報取得タイミングの判断（ステップＳ８０２）に戻る。
【０２２０】
同じ画像でないと判断した場合（ステップＳ８１７のＮＯ）、画像保存判断手段４０２は、画像中の変更があった箇所の画像情報（位置、色）を画像情報抽出手段４０４により抽出し、変更箇所の色が基準値であるか否か判断する（ステップＳ８１９、Ｓ８２０）。
【０２２１】
変更があった箇所の色が基準値でない、すなわち追記であると判断した場合（ステップＳ８２０のＮＯ）、画像保存判断手段４０２は、消去期間フラグがＯＮであるか否か判断する（ステップＳ８２１）。
【０２２２】
消去期間フラグがＯＮでない場合（ステップＳ８２１のＮＯ）はそのままとし、ＯＮである場合（ステップＳ８２１のＹＥＳ）は消去期間フラグをＯＦＦにして（ステップＳ８２２）、画像保存手段４０１により、保存されている最新の画像を削除し、入力デバイス２から取得した画像を保存し（ステップＳ８２３）、次の画像についての情報取得タイミングの判断（ステップＳ８０２）に戻る。
【０２２３】
変更があった箇所の色が基準値である、すなわち消去であると判断した場合（ステップＳ８２０のＹＥＳ）、画像保存判断手段４０２は、消去期間フラグがＯＮであるか否か判断する（ステップＳ８２４）。
【０２２４】
消去期間フラグがＯＮでない場合（ステップＳ８２４のＮＯ）、画像保存手段４０１により、入力デバイス２から取得した画像を保存し、消去期間フラグをＯＮにし（ステップＳ８２５）、次の画像についての情報取得タイミングの判断（ステップＳ８０２）に戻る。
【０２２５】
消去期間フラグがＯＮである場合（ステップＳ８２４のＹＥＳ）、画像保存手段４０１により、保存されている最新の画像を削除し、入力デバイス２から取得した画像を保存し（ステップＳ８２３）、次の画像についての情報取得タイミングの判断（ステップＳ８０２）に戻る。
【０２２６】
＜第９の実施形態＞
第９の実施形態は、手書きボード上に記載された内容として保存された画像を、手書きボードとは別に設けられた投影装置（プロジェクタ）に出力して表示できるようにしたものである。
【０２２７】
手書きボードは記載できるスペースが限られており、記載スペースがなくなったら消去しなければいけない。この場合、消去された記載内容は視覚的に確認できないので、会議の参加者が内容を忘れてしまうという懸念が発生する。本実施形態では、手書きボードに過去に記載した内容を一覧表示し、投影装置に過去の記載内容を投影することができるので、会議での過去の検討内容を即座に確認することができる。
【０２２８】
第９の実施形態におけるハードウェア構成は図１３に示した第７の実施形態の場合と同様である。
【０２２９】
図１８は第９の実施形態におけるボード記載内容記録システムの機能ブロック構成例を示す図である。
【０２３０】
図１８において、管理装置４に投影画像提供手段４１２が追加され、投影装置５が追加された以外は図２に示した第１の実施形態の場合と同様である。
【０２３１】
投影画像提供手段４１２は、投影装置５に投影画像を提供する機能を有している。
【０２３２】
投影装置５は図１４に示した第７の実施形態の場合と同様である。
【０２３３】
図１９は第９の実施形態の処理例を示すフローチャートである。なお、前述した第１の実施形態のように、手書きボード１に記載された内容を保存する必要があるか判断し、必要と判断された画像が保存されていることを前提とする。
【０２３４】
図１９において、処理を開始すると（ステップＳ９０１）、管理装置４の投影画像提供手段４１２は、保存された全画像をサムネイルなどの形に加工し、加工したサムネイル画像を使って、保存された画像の一覧表示画面を生成する（ステップＳ９０２）。例えば、保存された時刻とサムネイル画像を対にして一覧にする。
【０２３５】
次いで、投影画像提供手段４１２は、生成した一覧表示画面を、通信手段４０６を介して投影装置５に送信する（ステップＳ９０３）。例えば、フレームバッファの形で、一定間隔で一覧表示画面を投影装置５に送信する。
【０２３６】
投影装置５の画像投影手段５０１は通信手段５０２を通じて一覧表示画面を受け取ると、その一覧表示画面をスクリーンなどに投影する（ステップＳ９０４）。
【０２３７】
次いで、管理装置４の投影画像提供手段４１２は、管理装置４のキーボードやマウスの操作により、一覧表示画面からユーザにより特定の画像を選択させ（例えば、一覧表示画面上でカーソルを移動させて、選択対象の画像を選択させる。）、選択された画像を永続化領域４４から読み出して投影装置５に送信する（ステップＳ９０５）。
【０２３８】
選択された画像を受け取った投影装置５の画像投影手段５０１は、過去に手書きボード１に記載された内容の画像を、全画面で投影し（ステップＳ９０６）、次の処理に移行する（ステップＳ９０７）。
【０２３９】
＜第１０の実施形態＞
第１０の実施形態は、手書きボード上に記載された内容として保存された画像のうち共有が必要と判断されたものを登録されたユーザに送信するようにしたものである。
【０２４０】
手書きボードは記載できるスペースが限られており、記載スペースがなくなったら消去しなければいけない。この場合、消去された記載内容は視覚的に確認できないので、会議の参加者が過去の検討内容を忘れてしまうという懸念が発生する。本実施形態では、会議の参加者が手元に持っている端末装置（汎用ＰＣ）に手書きボードに記載した内容の画像を送付することで、会議での過去の検討内容を各自がその場で確認することができる。
【０２４１】
図２０は第１０の実施形態におけるボード記載内容記録システムのハードウェア構成例を示す図である。
【０２４２】
図２０において、ネットワーク３を介して管理装置４と接続される端末装置６が追加された以外は図１に示した第１の実施形態の場合と同様である。
【０２４３】
端末装置６は、データバス６１に接続されたＣＰＵ６２とメモリ５３と永続化領域６４とネットワーク通信制御部６５とを備えている。永続化領域６４はＨＤＤ、フラッシュメモリ等の不揮発性の記憶デバイスである。ネットワーク通信制御部６５はＮＩＣ等である。
【０２４４】
図２１は第１０の実施形態におけるボード記載内容記録システムの機能ブロック構成例を示す図である。
【０２４５】
図２１において、管理装置４に画像提供手段４１３が追加され、端末装置６が追加された以外は図２に示した第１の実施形態の場合と同様である。
【０２４６】
画像提供手段４１３は、端末装置６に画像を提供する機能を有している。
【０２４７】
端末装置６は、表示手段６０１と通信手段６０２とを備えている。表示手段６０１は、画像を表示する機能を有している。通信手段６０２は、連携する端末装置６と管理装置４の間での通信を行う機能を有している。
【０２４８】
図２２は第１０の実施形態の処理例を示すフローチャートである。なお、前述した第１の実施形態のように、手書きボード１に記載された内容を保存する必要があるか判断し、必要と判断された画像が保存されていることを前提とする。
【０２４９】
図２２において、処理を開始すると（ステップＳ１００１）、管理装置４の画像提供手段４１３は、保存されている画像が２つ以上あるかどうか判断する（ステップＳ１００２）。本実施形態では保存された画像を端末装置６に送信することを目的としており、後述するように、保存されている画像は２種類あるため、少なくとも画像が２つ以上あることを処理の契機としている。
【０２５０】
保存されている画像が２つ以上ないと判断した場合（ステップＳ１００２のＮＯ）、次の処理に移行する（ステップＳ１００５）。
【０２５１】
保存されている画像が２つ以上あると判断した場合（ステップＳ１００２のＹＥＳ）、画像提供手段４１３は、保存されている画像のうち、保存時刻が２番目に新しい画像を、通信手段４０６を用いて端末装置６に送信する（ステップＳ１００３）。ここで、保存ファイルは２種類存在する。すなわち、手書きボード１の最新の記載内容を記した画像と、最新の記載内容と比較して、消去された部分を含んだ画像（過去の検討内容を示す画像）である。前者は恒久的に残すかどうか決定しておらず、追記が発生した場合には追記に同内容が含まれているために不要と判断され削除される画像である。それに対して、後者は過去の検討内容を示すものとして、永続的に残すことが決定された画像である。従って、後者の過去の検討内容を示す画像のみを共有するものとする。最新の画像はまだ更新される可能性があるものとして、送信しない。送信対象は保存時間で並べて最新の画像よりも１つ前に保存された画像としている。
【０２５２】
端末装置６の表示手段６０１は通信手段６０２を通じて画像を受け取ると、その画像を表示する（ステップＳ１００４）。そして、次の処理に移行する（ステップＳ１００５）。
【０２５３】
＜第１１の実施形態＞
第１１の実施形態は、手書きボード上に記載された内容として保存された画像のうち共有が必要と判断されたものを近傍に配置されたプリンタ等の画像形成装置に送信して印刷し、画像化するようにしたものである。
【０２５４】
手書きボードは記載できるスペースが限られており、記載スペースがなくなったら消去しなければいけない。この場合、消去された記載内容は視覚的に確認できないので、会議の参加者が過去の検討内容を忘れてしまうという懸念が発生する。本実施形態では、手書きボードに記載した内容を１枚１枚印刷することで、会議での過去の検討内容を各自がその場で確認することができる。
【０２５５】
図２３は第１１の実施形態におけるボード記載内容記録システムのハードウェア構成例を示す図である。
【０２５６】
図２３において、ネットワーク３を介して管理装置４と接続される画像形成装置７が追加された以外は図１に示した第１の実施形態の場合と同様である。
【０２５７】
画像形成装置７は、データバス７１に接続されたＣＰＵ７２とメモリ７３とプロッタ・デバイス７４とネットワーク通信制御部７５とを備えている。プロッタ・デバイス７４は用紙等に対して印刷を行うデバイスである。ネットワーク通信制御部７５はＮＩＣ等である。
【０２５８】
図２４は第１１の実施形態におけるボード記載内容記録システムの機能ブロック構成例を示す図である。
【０２５９】
図２４において、管理装置４に印刷画像提供手段４１４が追加され、画像形成装置７が追加された以外は図２に示した第１の実施形態の場合と同様である。
【０２６０】
印刷画像提供手段４１４は、画像形成装置７に印刷する画像を提供する機能を有している。
【０２６１】
画像形成装置７は、印刷手段７０１と通信手段７０２とを備えている。印刷手段７０１は、画像を印刷する機能を有している。通信手段７０２は、連携する画像形成装置７と管理装置４の間での通信を行う機能を有している。
【０２６２】
図２５は第１１の実施形態の処理例を示すフローチャートである。なお、前述した第１の実施形態のように、手書きボード１に記載された内容を保存する必要があるか判断し、必要と判断された画像が保存されていることを前提とする。
【０２６３】
図２５において、処理を開始すると（ステップＳ１１０１）、管理装置４の印刷画像提供手段４１４は、保存されている画像が２つ以上あるかどうか判断する（ステップＳ１１０２）。本実施形態では保存された画像を画像形成装置７に送信することを目的としており、保存されている画像は２種類あるため、少なくとも画像が２つ以上あることを処理の契機としている。
【０２６４】
保存されている画像が２つ以上ないと判断した場合（ステップＳ１１０２のＮＯ）、次の処理に移行する（ステップＳ１１０５）。
【０２６５】
保存されている画像が２つ以上あると判断した場合（ステップＳ１１０２のＹＥＳ）、印刷画像提供手段４１４は、保存されている画像のうち、保存時刻が２番目に新しい画像を、通信手段４０６を用いて画像形成装置７に送信する（ステップＳ１１０３）。
【０２６６】
画像形成装置７の印刷手段７０１は通信手段７０２を通じて画像を受け取ると、その画像を印刷する（ステップＳ１１０４）。そして、次の処理に移行する（ステップＳ１１０５）。
【０２６７】
＜第１２の実施形態＞
第１２の実施形態は、同じ画像が一定数以上連続した場合は手書きボードの記載内容の更新がなく、会議等が終了したとみなし、新規にフォルダを作成し、今まで保存した画像をコピーし、会議システムを終了するようにしたものである。
【０２６８】
前述した第１の実施形態では、会議等の開始と終了の判断を人の手に委ねている。しかしながら、システムを終了し忘れてしまうと、システムが作動し続けることとなり、システムの稼動に要する電力の無駄が発生する。本実施形態では、会議等の終了を自動的に判断することで、システムが無駄に作動することを防止することができる。
【０２６９】
第１２の実施形態におけるハードウェア構成は図１に示した第１の実施形態の場合と同様である。
【０２７０】
図２６は第１２の実施形態におけるボード記載内容記録システムの機能ブロック構成例を示す図である。
【０２７１】
図２６において、管理装置４に終了判断手段４１５が追加された以外は図２に示した第１の実施形態の場合と同様である。
【０２７２】
終了判断手段４１５は、入力デバイス２から同じ画像が連続して一定数以上取得されたかを判断し、同じ画像が連続して一定数以上取得されたと判断した場合に、更新されない手書きボード１の画像をとり続けているものとみなし、会議等の終了と判断して終了時の処理を実行する機能を有している。
【０２７３】
図２７は第１２の実施形態の処理例を示すフローチャートである。
【０２７４】
図２７において、管理装置４の画像保存判断手段４０２は消去期間フラグをＯＦＦとした状態で動作を開始する（ステップＳ１２０１）。
【０２７５】
次いで、情報取得タイミング判断手段４０５は、ＣＰＵ４２の管理下にあるタイマにより情報取得タイミングを判断し、前回の情報取得から一定時間経過したか、もしくは初回かを判断する（ステップＳ１２０２、Ｓ１２０３）。前回の情報取得から一定時間経過しておらず初回でもないと判断した場合（ステップＳ１２０３のＮＯ）、同判断を継続する。
【０２７６】
前回の情報取得から一定時間経過したか、もしくは初回であると判断した場合（ステップＳ１２０３のＹＥＳ）、終了判断手段４１５は、同じ画像が一定数以上（例えば、２０枚以上）取得されたかどうか判断する（ステップＳ１２０４）。
【０２７７】
同じ画像が一定数以上取得されたと判断した場合（ステップＳ１２０４のＹＥＳ）、画像保存手段４０１により、新しくフォルダを作成し、今まで保存した画像をそのフォルダにコピーし（ステップＳ１２０５）、処理を終了する（ステップＳ１２０６）。
【０２７８】
同じ画像が一定数以上取得されていないと判断した場合（ステップＳ１２０４のＮＯ）、情報取得タイミング判断手段４０５は、通信手段４０６を通じて入力デバイス２に対して情報取得指示を行う（ステップＳ１２０７）。
【０２７９】
入力デバイス２の情報取得動作制御手段２０１は、通信手段２０３を通じて情報取得指示を受け取り（ステップＳ１２０８）、ボード情報取得手段２０２により手書きボード１に記載された内容の画像を取得し（ステップＳ１２０９）、通信手段２０３により管理装置４に送信する（ステップＳ１２１０）。
【０２８０】
管理装置４の通信手段４０６により画像を受け取ると（ステップＳ１２１１）、画像保存判断手段４０２は、画像保存手段４０１により、保存されている画像があるか否か判断する（ステップＳ１２１２）。
【０２８１】
保存されている画像がないと判断した場合（ステップＳ１２１２のＮＯ）、画像保存判断手段４０２は、取得した画像を画像保存手段４０１により永続化領域４４に保存し（ステップＳ１２１３）、次の画像についての情報取得タイミングの判断（ステップＳ１２０２）に戻る。
【０２８２】
保存されている画像があると判断した場合（ステップＳ１２１２のＹＥＳ）、画像保存判断手段４０２は、入力デバイス２から取得した画像と、画像保存手段４０１から取得した、保存されている画像のうちの最新の画像とを画像比較手段４０３により比較し、同じ画像であるか否か判断する（ステップＳ１２１４、Ｓ１２１５）。
【０２８３】
同じ画像であると判断した場合（ステップＳ１２１５のＹＥＳ）、画像保存判断手段４０２は、入力デバイス２から取得した画像を破棄し（ステップＳ１２１６）、次の画像についての情報取得タイミングの判断（ステップＳ１２０２）に戻る。
【０２８４】
同じ画像でないと判断した場合（ステップＳ１２１５のＮＯ）、画像保存判断手段４０２は、画像中の変更があった箇所の画像情報（位置、色）を画像情報抽出手段４０４により抽出し、変更箇所の色が基準値であるか否か判断する（ステップＳ１２１７、Ｓ１２１８）。
【０２８５】
変更があった箇所の色が基準値でない、すなわち追記であると判断した場合（ステップＳ１２１８のＮＯ）、画像保存判断手段４０２は、消去期間フラグがＯＮであるか否か判断する（ステップＳ１２１９）。
【０２８６】
消去期間フラグがＯＮでない場合（ステップＳ１２１９のＮＯ）はそのままとし、ＯＮである場合（ステップＳ１２１９のＹＥＳ）は消去期間フラグをＯＦＦにして（ステップＳ１２２０）、画像保存手段４０１により、保存されている最新の画像を削除し、入力デバイス２から取得した画像を保存し（ステップＳ１２２１）、次の画像についての情報取得タイミングの判断（ステップＳ１２０２）に戻る。
【０２８７】
変更があった箇所の色が基準値である、すなわち消去であると判断した場合（ステップＳ１２１８のＹＥＳ）、画像保存判断手段４０２は、消去期間フラグがＯＮであるか否か判断する（ステップＳ１２２２）。
【０２８８】
消去期間フラグがＯＮでない場合（ステップＳ１２２２のＮＯ）、画像保存手段４０１により、入力デバイス２から取得した画像を保存し、消去期間フラグをＯＮにし（ステップＳ１２２３）、次の画像についての情報取得タイミングの判断（ステップＳ１２０２）に戻る。
【０２８９】
消去期間フラグがＯＮである場合（ステップＳ１２２２のＹＥＳ）、画像保存手段４０１により、保存されている最新の画像を削除し、入力デバイス２から取得した画像を保存し（ステップＳ１２２１）、次の画像についての情報取得タイミングの判断（ステップＳ１２０２）に戻る。
【０２９０】
＜総括＞
以上説明した実施形態によれば、人の手間を要せず、検索性に優れ、データの保管場所の容量を圧迫せず、途中で消された内容を含む全ての内容を余分な内容がなく網羅して保存することができる。
【０２９１】
また、上述した実施形態は単独で実施するほか、複数を組み合わせて実施することが可能である。
【０２９２】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【０２９３】
１          手書きボード
２          入力デバイス
２１        データバス
２２        ＣＰＵ
２３        メモリ
２４        ボード情報取得部
２５        ネットワーク通信制御部
２０１      情報取得動作制御手段
２０２      ボード情報取得手段
２０３      通信手段
３          ネットワーク
４          管理装置
４１        データバス
４２        ＣＰＵ
４３        メモリ
４４        永続化領域
４５        ネットワーク通信制御部
４０１      画像保存手段
４０２      画像保存判断手段
４０３      画像比較手段
４０４      画像情報抽出手段
４０５      情報取得タイミング判断手段
４０６      通信手段
４０７      画像分類手段
４０８      色識別手段
４０９      記号識別手段
４１０      差分画像生成手段
４１１      投影画像比較手段
４１２      投影画像提供手段
４１３      画像提供手段
４１４      印刷画像提供手段
４１５      終了判断手段
５          投影装置
５１        データバス
５２        ＣＰＵ
５３        メモリ
５４        投影処理部
５５        ネットワーク通信制御部
５０１      画像投影手段
５０２      通信手段
６          端末装置
６１        データバス
６２        ＣＰＵ
６３        メモリ
６４        永続化領域
６５        ネットワーク通信制御部
６０１      表示手段
６０２      通信手段
７          画像形成装置
７１        データバス
７２        ＣＰＵ
７３        メモリ
７４        プロッタ・デバイス
７５        ネットワーク通信制御部
７０１      印刷手段
７０２      通信手段
【先行技術文献】
【特許文献】
【０２９４】
【特許文献１】特開２０１０−００３１９７号公報
【図１】
0005747545.tif 000002
【図２】
0005747545.tif 000003
【図３】
0005747545.tif 000004
【図４】
0005747545.tif 000005
【図５】
0005747545.tif 000006
【図６】
0005747545.tif 000007
【図７】
0005747545.tif 000008
【図８】
0005747545.tif 000009
【図９】
0005747545.tif 000010
【図１０】
0005747545.tif 000011
【図１１】
0005747545.tif 000012
【図１２】
0005747545.tif 000013
【図１３】
0005747545.tif 000014
【図１４】
0005747545.tif 000015
【図１５】
0005747545.tif 000016
【図１６】
0005747545.tif 000017
【図１７】
0005747545.tif 000018
【図１８】
0005747545.tif 000019
【図１９】
0005747545.tif 000020
【図２０】
0005747545.tif 000021
【図２１】
0005747545.tif 000022
【図２２】
0005747545.tif 000023
【図２３】
0005747545.tif 000024
【図２４】
0005747545.tif 000025
【図２５】
0005747545.tif 000026
【図２６】
0005747545.tif 000027
【図２７】
0005747545.tif 000028